【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
現像剤収納容器と、前記現像剤収納容器内の現像剤残量を逐次検知できる現像剤残量検知手段と、現像剤残量に係わる情報を記憶する記憶手段と、を有するカートリッジが着脱自在であり、前記現像剤残量検知手段からの検知出力を統計的手法により処理して現像剤残量を確定する処理手段と、前記統計的手法により確定した現像剤残量と前記記憶手段に記憶されている現像剤残量とを比較する比較手段と、を備えた画像形成装置における画像形成装置及び／又は画像形成装置に用いられるカートリッジの異常検知システムであって、
前記比較手段の比較の結果、前記統計的手法により確定した現像剤残量と前記記憶手段に記憶されている現像剤残量との差の値が所定量より大きい場合は前記画像形成装置及び／又は前記カートリッジの異常と判断し、前記装置が備える情報表示部及び／又は前記装置と通信可能なディスプレイを有する機器に異常を判断したことを示す情報を出力することを特徴とする前記異常検知システム。
【請求項２】
前記画像形成装置はページ記述言語で表された画像情報を展開する展開手段と、展開された画像情報に基づき出力画像を形成する画像形成手段とを有しており、前記比較手段は前記展開手段に備えられることを特徴とする請求項１に記載の異常検知システム。
【請求項３】
現像剤収納容器と、前記現像剤収納容器内の現像剤残量を逐次検知できる現像剤残量検知手段と、現像剤残量に係わる情報を記憶する記憶手段と、を有するカートリッジが着脱自在であり、前記現像剤残量検知手段からの検知出力を統計的手法により処理して現像剤残量を確定する処理手段と、前記統計的手法により確定した現像剤残量と前記記憶手段に記憶されている現像剤残量とを比較する比較手段と、を備えた画像形成装置における現像剤残量表示システムであって、
前記比較手段の比較の結果、前記統計的手法により確定した現像剤残量と前記記憶手段に記憶されている現像剤残量との差の値が所定量よりも小さく、且つ、前記統計的手法により確定した現像剤残量が前記記憶手段に記憶されている現像剤残量よりも小さい場合は現像剤残量を更新し、前記装置が備える情報表示部及び／又は前記装置と通信可能なディスプレイを有する機器に現像剤残量を表示し、前記記憶手段に記憶された現像剤残量を更新することを特徴とする現像剤残量表示システム。
【請求項４】
前記画像形成装置はページ記述言語で表された画像情報を展開する展開手段と、展開された画像情報に基づき出力画像を形成する画像形成手段とを有しており、前記比較手段は前記展開手段に備えられることを特徴とする請求項３に記載の現像剤残量表示システム。
【手続補正２】
【補正対象書類名】明細書
【補正対象項目名】００１４
【補正方法】変更
【補正の内容】
【００１４】
【課題を解決するための手段】
上記目的は本発明に係る異常検知システム及び現像剤残量表示システムにて達成される。要約すれば、本発明の第１の態様によると、現像剤収納容器と、前記現像剤収納容器内の現像剤残量を逐次検知できる現像剤残量検知手段と、現像剤残量に係わる情報を記憶する記憶手段と、を有するカートリッジが着脱自在であり、前記現像剤残量検知手段からの検知出力を統計的手法により処理して現像剤残量を確定する処理手段と、前記統計的手法により確定した現像剤残量と前記記憶手段に記憶されている現像剤残量とを比較する比較手段と、を備えた画像形成装置における画像形成装置及び／又は画像形成装置に用いられるカートリッジの異常検知システムであって、前記比較手段の比較の結果、前記統計的手法により確定した現像剤残量と前記記憶手段に記憶されている現像剤残量との差の値が所定量より大きい場合は前記画像形成装置及び／又は前記カートリッジの異常と判断し、前記装置が備える情報表示部及び／又は前記装置と通信可能なディスプレイを有する機器に異常を判断したことを示す情報を出力することを特徴とする前記異常検知システムが提供される。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明の第２の態様によると、現像剤収納容器と、前記現像剤収納容器内の現像剤残量を逐次検知できる現像剤残量検知手段と、現像剤残量に係わる情報を記憶する記憶手段と、を有するカートリッジが着脱自在であり、前記現像剤残量検知手段からの検知出力を統計的手法により処理して現像剤残量を確定する処理手段と、前記統計的手法により確定した現像剤残量と前記記憶手段に記憶されている現像剤残量とを比較する比較手段と、を備えた画像形成装置における現像剤残量表示システムであって、前記比較手段の比較の結果、前記統計的手法により確定した現像剤残量と前記記憶手段に記憶されている現像剤残量との差の値が所定量よりも小さく、且つ、前記統計的手法により確定した現像剤残量が前記記憶手段に記憶されている現像剤残量よりも小さい場合は現像剤残量を更新し、前記装置が備える情報表示部及び／又は前記装置と通信可能なディスプレイを有する機器に現像剤残量を表示し、前記記憶手段に記憶された現像剤残量を更新することを特徴とする現像剤残量表示システムが提供される。
【手続補正５】
【補正対象書類名】明細書
【補正対象項目名】００１７
【補正方法】削除
【補正の内容】
【手続補正６】
【補正対象書類名】明細書
【補正対象項目名】０１１３
【補正方法】変更
【補正の内容】
【０１１３】
【発明の効果】
以上説明したように、本発明によれば、現像剤収納容器と、現像剤収納容器内の現像剤残量を逐次検知できる現像剤残量検知手段と、現像剤残量に係わる情報を記憶する記憶手段と、を有するカートリッジが着脱自在であり、現像剤残量検知手段からの検知出力を統計的手法により処理して現像剤残量を確定する処理手段と、統計的手法により確定した現像剤残量と記憶手段に記憶されている現像剤残量とを比較する比較手段と、を備えた画像形成装置における画像形成装置及び／又は画像形成装置に用いられるカートリッジの異常検知システムは、
（Ａ）比較手段の比較の結果、統計的手法により確定した現像剤残量と記憶手段に記憶されている現像剤残量との差の値が所定量より大きい場合は画像形成装置及び／又はカートリッジの異常と判断し、装置が備える情報表示部及び／又は装置と通信可能なディスプレイを有する機器に異常を判断したことを示す情報を出力する構成とされるか、
（Ｂ）処理手段が現像剤残量を確定するまでの期間には、現像剤残量検知手段の検知出力を上記統計的手法とは異なる簡略な統計的手法により処理して現像剤残量を概算し、概算した現像剤残量と記憶手段に記憶されている現像剤残量とを比較し、処理手段が現像剤残量を確定してからは、確定された現像剤残量と記憶手段に記憶されている現像剤残量とを比較し、比較手段の比較結果が所定量より大きい場合は画像形成装置及び／又はカートリッジの異常と判断し、装置が備える情報表示部及び／又は装置と通信可能なディスプレイを有する機器に異常を判断した旨を出力する構成とされ、又、本発明によれば、現像剤残量表示システムは、
（Ｃ）比較手段の比較の結果、統計的手法により確定した現像剤残量と記憶手段に記憶されている現像剤残量との差の値が所定量よりも小さく、且つ、統計的手法により確定した現像剤残量が記憶手段に記憶されている現像剤残量よりも小さい場合は現像剤残量を更新し、装置が備える情報表示部及び／又は装置と通信可能なディスプレイを有する機器に現像剤残量を表示し、記憶手段に記憶された現像剤残量を更新する構成とされるか、
（Ｄ）処理手段が現像剤残量を確定するまでの期間には、記憶手段に記憶された現像剤残量を表示し、処理手段が現像剤残量を確定してからは、比較手段の比較結果が所定量よりも小さく、且つ、統計的手法により確定した現像剤残量が記憶手段に記憶されている現像剤残量よりも小さい場合は現像剤残量を更新し、装置が備える情報表示部及び／又は装置と通信可能なディスプレイを有する機器に現像剤残量を表示し、記憶手段に記憶された現像剤残量を更新する構成とされるので、
（１）カートリッジ及び画像形成装置の異常検知を可能とし、異常が発生したカートリッジ及び画像形成装置が使用されることで更に甚大な破損に到ることを未然に防ぐことができる。
（２）現像剤収納容器内の現像剤残量レベルを、いつでも、時間をかけずに、正確に使用者に知らせることができる。
といった効果を奏し得る。